(57)【要約】【課題】  冷気、騒音又は衝撃から耳を保護することができる帽体用垂れカバーを提供する。【解決手段】  帽体用垂れカバー１０は、帽体１に着脱可能に取り付けられる。垂れカバー本体１１は、帽体装着者の後頭部をカバーする後カバー２１と、右側頭部をカバーする右側面カバー２２と、左側頭部をカバーする左側面カバー２３とを有する。右側面カバー２２及び左側面カバー２３には耳側取付部２７，２８が形成されている。耳側取付部２７，２８には、耳を保護する耳保護部材７１，７１が着脱可能に取り付けられる。【選択図】    図２
2012144828.tif 000002
【特許請求の範囲】
【請求項１】
帽体に着脱可能に取り付けられる帽体用垂れカバーであって、
垂れカバー本体は、帽体装着者の後頭部をカバーする後カバーと、右側頭部をカバーする右側面カバーと、左側頭部をカバーする左側面カバーとを有し、
右側面カバー及び左側面カバーには耳側取付部が形成され、
耳側取付部には、耳を保護する耳保護部材が着脱可能に取り付けられることを特徴とする帽体用垂れカバー。
【請求項２】
耳側取付部は、ポケット状に形成されていることを特徴とする請求項１記載の帽体用垂れカバー。
【請求項３】
耳保護部材は、耳を冷気から保護する防寒部材、耳を騒音から保護する防音部材又は耳を衝撃から保護する緩衝部材であることを特徴とする請求項１又は２記載の帽体用垂れカバー。
【請求項４】
後カバーには首側取付部が形成され、
首側取付部には、首を保護する首保護部材が着脱可能に取り付けられることを特徴とする請求項１、２又は３記載の帽体用垂れカバー。
【請求項５】
首側取付部は、ポケット状に形成されていることを特徴とする請求項４記載の帽体用垂れカバー。
【請求項６】
首保護部材は、首を冷気から保護する防寒部材、首を熱気から保護する防暑部材又は首を衝撃から保護する緩衝部材であることを特徴とする請求項４又は５記載の帽体用垂れカバー。
【請求項７】
前記右側面カバー及び左側面カバーには、口及び鼻を覆う前カバーが設けられ、
前カバーには前側取付部が形成され、
前側取付部には、口及び鼻を保護する口鼻保護部材が着脱可能に取り付けられることを特徴とする請求項１乃至６のいずれか１項に記載の帽体用垂れカバー。
【請求項８】
前側取付部は、ポケット状に形成されていることを特徴とする請求項７記載の帽体用垂れカバー。
【請求項９】
口鼻保護部材は、口及び鼻を冷気から保護する防寒部材又は口及び鼻を粉塵から保護する防塵部材であることを特徴とする請求項７又は８記載の帽体用垂れカバー。
【請求項１０】
前カバーは、一方が右側面カバー又は左側面カバーの一方に固定され、他方が右側面カバー又は左側面カバーの他方に脱着可能に取り付けられていることを特徴とする請求項７、８又は９記載の帽体用垂れカバー。
【請求項１１】
垂れカバー本体は、帽体の下部内側面側に着脱可能に取り付けられ、帽体に取り付けられる上部に、弾性素材で形成された芯材が設けられ、前記芯材が帽体の下部内側面に沿って変形するように構成されていることを特徴とする請求項１乃至１０のいずれか１項に記載の帽体用垂れカバー。
【請求項１２】
垂れカバー本体は、下部に補助カバーが着脱可能に取り付けられることを特徴とする請求項１乃至１１のいずれか１項に記載の帽体用垂れカバー。
【発明の詳細な説明】
【技術分野】
【０００１】
本発明は、頭部の防寒又は防暑を目的としてヘルメット等の帽体に取り付けられ、装着者の後頭部及び側頭部を覆う帽体用垂れカバーに関する。
【背景技術】
【０００２】
従来、頭部の防寒又は防暑を目的としてヘルメット等の帽体に着脱可能に取り付けられる帽体用垂れカバーは、帽体装着者の後頭部をカバーする後カバーと、右側頭部をカバーする右側面カバーと、左側頭部をカバーする左側面カバーとを有する（例えば、特許文献１，２，  ３）。
【先行技術文献】
【特許文献】
【０００３】
【特許文献１】特開２００２−１５５４１８号公報
【特許文献２】特開２００５−２９９０１号公報
【特許文献３】実用新案登録第３１４１７６号公報
【発明の概要】
【発明が解決しようとする課題】
【０００４】
従来の帽体用垂れカバーは、帽体装着者の後頭部及び側頭部をカバーするだけであり、風除け、日除け等に効果があるものの、耳部、鼻部、口部、首部等の局部を寒気又は熱気から保護するために保温若しくは保冷することは勿論のこと、外部からの衝撃・騒音・悪臭・粉塵等の障害から局部を保護することはできないという問題点があった。例えば、従来の帽体用垂れカバーは、真冬の冷気から耳を保護することも騒音や衝撃から耳を保護することもできない。また、従来の帽体用垂れカバーは、真夏の紫外線や真冬の北風から首部を保護するが、冷却や保温することがないので、熱中症の予防や寒さ対策には不十分であるという問題点があった。さらに、真冬の冷気や粉塵から鼻口を直接保護することができないという問題点もあった。
【０００５】
また、帽体用垂れカバーは、ヘルメットの外周縁に取り付けられる構成であると、帽体装着者の頭部と帽体用垂れカバーとの間が離れるため、頭部と帽体用垂れカバーとの間の隙間から熱気又は冷気が流れ込み易い。そのため、帽体用垂れカバーは、できるだけ頭部と帽体用垂れカバーを近づけるべく、ヘルメットの内側面側に取り付けられる構成であることが望ましい。しかし、帽体用垂れカバーは、ヘルメットの外周縁だと全周が均一に取り付けられるが、ヘルメットの内側面側だと取付部以外がヘルメットの内側面から離れ、ヘルメットの内側面と帽体用垂れカバーとの間の隙間が不均一であり、今度はヘルメットと帽体用垂れカバーの隙間から熱気又は冷気が流れ込むという問題点があった。従って、帽体用垂れカバーは、ヘルメットの内側面にほとんど隙間がないように取り付けられることが望まれていた。さらに、従来の帽体用垂れカバーは、帽体装着者の体型、使用状況に合わせて、長さを調節することができないという問題点もあった。
【０００６】
本願発明は、上記問題点に鑑み案出したものであって、冷気、騒音又は衝撃から耳を保護することができる帽体用垂れカバーを提供することを第１の目的とする。また、本願発明は、上記目的に加え、夏日には首部を直接冷やして熱中症予防を行うことができ、冬日には首部を温めて保温することができ、作業中には首部を衝撃から保護することができる帽体用垂れカバーを提供することを第２の目的とする。さらに、本願発明は、上記目的に加え、冷気又は粉塵から口鼻を保護することができる帽体用垂れカバーを提供することを第３の目的とする。さらにまた、本願発明は、上記目的に加え、帽体の内側面に沿ってほとんど隙間なく取り付け、外気の侵入を極力抑えることができる帽体用垂れカバーを提供することを第４の目的とする。また、本願発明は、上記目的に加え、帽体装着者の体型、使用状況に合わせて、長さを調節することができる帽体用垂れカバーを提供することを第５の目的とする。
【課題を解決するための手段】
【０００７】
本願請求項１記載の帽体用垂れカバーは、上記第１の目的を達成するため、帽体に着脱可能に取り付けられる帽体用垂れカバーであって、垂れカバー本体は、帽体装着者の後頭部をカバーする後カバーと、右側頭部をカバーする右側面カバーと、左側頭部をカバーする左側面カバーとを有し、右側面カバー及び左側面カバーには耳側取付部が形成され、耳側取付部には、耳を保護する耳保護部材が着脱可能に取り付けられることを特徴とする。
【０００８】
本願請求項２記載の帽体用垂れカバーは、上記第１の目的を達成するため、耳側取付部は、ポケット状に形成されていることを特徴とする。
【０００９】
本願請求項３記載の帽体用垂れカバーは、上記第１の目的を達成するため、耳保護部材は、耳を冷気から保護する防寒部材、耳を騒音から保護する防音部材又は耳を衝撃から保護する緩衝部材であることを特徴とする。
【００１０】
本願請求項４記載の帽体用垂れカバーは、上記第２の目的を達成するため、後カバーには首側取付部が形成され、首側取付部には、首を保護する首保護部材が着脱可能に取り付けられることを特徴とする。
【００１１】
本願請求項５記載の帽体用垂れカバーは、上記第２の目的を達成するため、首側取付部は、ポケット状に形成されていることを特徴とする。
【００１２】
本願請求項６記載の帽体用垂れカバーは、上記第２の目的を達成するため、首保護部材は、首を冷気から保護する防寒部材、首を熱気から保護する防暑部材又は首を衝撃から保護する緩衝部材であることを特徴とする。
【００１３】
本願請求項７記載の帽体用垂れカバーは、上記第３の目的を達成するため、前記右側面カバー及び左側面カバーには、口及び鼻を覆う前カバーが設けられ、前カバーには前側取付部が形成され、前側取付部には、口及び鼻を保護する口鼻保護部材が着脱可能に取り付けられることを特徴とする。
【００１４】
本願請求項８記載の帽体用垂れカバーは、上記第３の目的を達成するため、前側取付部は、ポケット状に形成されていることを特徴とする。
【００１５】
本願請求項９記載の帽体用垂れカバーは、上記第３の目的を達成するため、口鼻保護部材は、口及び鼻を冷気から保護する防寒部材又は口及び鼻を粉塵から保護する防塵部材であることを特徴とする。
【００１６】
本願請求項１０記載の帽体用垂れカバーは、上記第３の目的を達成するため、前カバーは、一方が右側面カバー又は左側面カバーの一方に固定され、他方が右側面カバー又は左側面カバーの他方に脱着可能に取り付けられていることを特徴とする。
【００１７】
本願請求項１１記載の帽体用垂れカバーは、上記第４の目的を達成するため、垂れカバー本体は、帽体の下部内側面側に着脱可能に取り付けられ、帽体に取り付けられる上部に、弾性素材で形成された芯材が設けられ、前記芯材が帽体の下部内側面に沿って変形するように構成されていることを特徴とする。
【００１８】
本願請求項１２記載の帽体用垂れカバーは、上記第５の目的を達成するため、垂れカバー本体は、下部に補助カバーが着脱可能に取り付けられることを特徴とする。
【発明の効果】
【００１９】
本願発明に係る帽体用垂れカバーは、帽体に着脱可能に取り付けられる帽体用垂れカバーであって、垂れカバー本体は、帽体装着者の後頭部をカバーする後カバーと、右側頭部をカバーする右側面カバーと、左側頭部をカバーする左側面カバーとを有し、右側面カバー及び左側面カバーには耳側取付部が形成され、耳側取付部には、耳を保護する耳保護部材が着脱可能に取り付けられる。耳側取付部は、ポケット状に形成されていても良い。耳保護部材は、耳を冷気から保護する防寒部材、耳を騒音から保護する防音部材又は耳を衝撃から保護する緩衝部材であることが望ましい。
本願発明に係る帽体用垂れカバーは、風除け及び日除けは勿論のこと、耳側取付部に防寒部材を設けておくと、この防寒部材によって冷気から耳を保護することができるという効果がある。また、耳側取付部に防音部材を設けておくと、この防音部材によって騒音から耳を保護することができるという効果がある。さらに、耳側取付部に緩衝部材を設けておくと、この緩衝部材によって衝撃から耳を保護することができるという効果がある。
このように、本願発明に係る帽体用垂れカバーは、状況に応じて、耳側取付部に取り付ける部材を選択して、耳を保護することができるという効果がある。
【００２０】
本願発明に係る帽体用垂れカバーは、後カバーに首側取付部が形成され、首側取付部には、首を保護する首保護部材が着脱可能に取り付けられる。首側取付部は、ポケット状に形成されていても良い。首保護部材は、首を冷気から保護する防寒部材、首を熱気から保護する防暑部材又は首を衝撃から保護する緩衝部材であることが望ましい。
本願発明に係る帽体用垂れカバーは、上記効果に加え、首側取付部に防寒部材を設けておくと、この防寒部材によって冷気から首部を保護することができるという効果がある。また、首側取付部に防暑部材を設けておくと、この防暑部材によって熱中症の予防を行うことができるという効果がある。さらに、首側取付部に緩衝部材を設けておくと、この緩衝部材によって衝撃から首を保護することができるという効果がある。
このように、本願発明に係る帽体用垂れカバーは、状況に応じて、首側取付部に取り付ける部材を選択して、首を保護することができるという効果がある。
【００２１】
本願発明に係る帽体用垂れカバーは、前記右側面カバー及び左側面カバーに、口及び鼻を覆う前カバーが設けられ、前カバーには前側取付部が形成され、前側取付部には、口及び鼻を保護する口鼻保護部材が着脱可能に取り付けられる。前側取付部は、ポケット状に形成されていても良い。口鼻保護部材は、口及び鼻を冷気から保護する防寒部材又は口及び鼻を粉塵から保護する防塵部材であることが望ましい。前カバーは、一方が右側面カバー又は左側面カバーの一方に固定され、他方が右側面カバー又は左側面カバーの他方に脱着可能に取り付けられていても良い。
本願発明に係る帽体用垂れカバーは、上記効果に加え、前側取付部に防寒部材を取り付けておくと、この防寒部材によって冷気から喉を保護することができるという効果がある。また、前側取付部に防塵部材を取り付けておくと、この防塵部材によって粉塵から喉を保護することができるという効果がある。
このように、本願発明に係る帽体用垂れカバーは、状況に応じて、前側取付部に取り付ける部材を選択して、喉を保護することができるという効果がある。
【００２２】
本願発明に係る帽体用垂れカバーは、垂れカバー本体が帽体の下部内側面側に着脱可能に取り付けられ、帽体に取り付けられる上部に、弾性素材で形成された芯材が設けられ、前記芯材が帽体の下部内側面に沿って変形するように構成されている。
本願発明に係る帽体用垂れカバーは、帽体の内側面形状に沿って上部が変形するので、帽体の内側面に沿ってほとんど隙間なく取り付けることができ、外気の侵入を極力抑えることができるという効果がある。
【００２３】
本願発明に係る帽体用垂れカバーは、垂れカバー本体の下部に補助カバーが着脱可能に取り付けられるので、帽体装着者の体型に合わせたり、使用状況に合わせて長さを調節することができるという効果がある。
【図面の簡単な説明】
【００２４】
【図１】ヘルメットの説明図であって、（ａ）が斜視図、（ｂ）が底面図である。
【図２】本願発明に係る帽体用垂れカバーの一つの実施の形態を示す正面図である。
【図３】図１の帽体用垂れカバーの背面図である。
【図４】図１の帽体用垂れカバーの組立図である。
【図５】図１の帽体用垂れカバーの使用説明図であって、（ａ）が正面図、（ｂ）が側面図である。
【図６】図５の帽体用垂れカバーの要部拡大説明図である。
【図７】本願発明に係る帽体用垂れカバーの耳カバーの斜視図である。
【図８】本願発明に係る帽体用垂れカバーのマスクの斜視図である。
【図９】図７の耳カバーの装着状態を示す側面図である。
【図１０】図８のマスクの装着状態を示す側面図である。
【図１１】耳カバーとマスクを装着した帽体用垂れカバーの正面図である。
【図１２】本願発明に係る帽体用垂れカバーの他の実施の形態を示す正面図である。
【図１３】本願発明に係る帽体用垂れカバーの他の実施の形態を示す正面図である。
【図１４】耳カバーの他の実施の形態を示す斜視図である。
【図１５】マスクの他の実施の形態を示す斜視図である。
【図１６】本願発明に係る帽体用垂れカバーの他の実施の形態を示す正面図である。
【図１７】帽体用垂れカバーの使用説明図であって、（ａ）が側面図、（ｂ）が側面断面図である。
【発明を実施するための最良の形態】
【００２５】
図５に示すように、帽体用垂れカバー１０は、帽体１に着脱可能に取り付けられる。図２に示すように、垂れカバー本体１１は、帽体装着者の後頭部をカバーする後カバー２１と、右側頭部をカバーする右側面カバー２２と、左側頭部をカバーする左側面カバー２３とを有する。右側面カバー２２及び左側面カバー２３には耳側取付部２７，２８が形成されている。図１１に示すように、耳側取付部２７，２８には、耳を保護する耳保護部材７１，７１が着脱可能に取り付けられる。耳側取付部２７，２８は、ポケット状に形成されていても良い。耳保護部材７１，７１は、耳を冷気から保護する防寒部材、耳を騒音から保護する防音部材又は耳を衝撃から保護する緩衝部材であることが望ましい。
【００２６】
帽体用垂れカバー１０は、風除け及び日除けは勿論のこと、耳側取付部２７，２８に防寒部材を設けておくと、この防寒部材によって冷気から耳を保護することができる。また、耳側取付部２７，２８に防音部材を設けておくと、この防音部材によって騒音から耳を保護することができる。さらに、耳側取付部２７，２８に緩衝部材を設けておくと、この緩衝部材によって衝撃から耳を保護することができる。このように、帽体用垂れカバー１０は、状況に応じて、耳側取付部２７，２８に取り付ける部材を選択して、耳を保護することができる。
【００２７】
図２に示すように、帽体用垂れカバー１０は、後カバー２１に首側取付部２５が形成されている。図１１に示すように、首側取付部２５には、首を保護する首保護部材７３が着脱可能に取り付けられる。首側取付部２５は、ポケット状に形成されていても良い。首保護部材７３は、首を冷気から保護する防寒部材、首を熱気から保護する防暑部材又は首を衝撃から保護する緩衝部材であることが望ましい。
【００２８】
帽体用垂れカバー１０は、首側取付部２５に防寒部材を設けておくと、この防寒部材によって冷気から首部を保護することができる。また、首側取付部２５に防暑部材を設けておくと、この防暑部材によって熱中症の予防を行うことができる。さらに、首側取付部２５に緩衝部材を設けておくと、この緩衝部材によって衝撃から首を保護することができる。このように、帽体用垂れカバー１０は、状況に応じて、首側取付部２５に取り付ける部材を選択して、首を保護することができる。
【００２９】
図５に示すように、帽体用垂れカバー１０は、前記右側面カバー２２及び左側面カバー２３に、口及び鼻を覆う前カバー３１が設けられている。図２に示すように、前カバー３１には前側取付部４１が形成されている。図１１に示すように、前側取付部４１には、口及び鼻を保護する口鼻保護部材７５が着脱可能に取り付けられる。前側取付部４１は、ポケット状に形成されていても良い。口鼻保護部材７５は、口及び鼻を冷気から保護する防寒部材又は口及び鼻を粉塵から保護する防塵部材であることが望ましい。前カバー３１は、一方が右側面カバー２２又は左側面カバー２３の一方に固定され、他方が右側面カバー２２又は左側面カバー２３の他方に脱着可能に取り付けられていても良い。
【００３０】
帽体用垂れカバー１０は、前側取付部４１に防寒部材を取り付けておくと、この防寒部材によって冷気から喉を保護することができる。また、前側取付部４１に防塵部材を取り付けておくと、この防塵部材によって粉塵から喉を保護することができる。このように、帽体用垂れカバー１０は、状況に応じて、前側取付部４１に取り付ける部材を選択して、喉を保護することができる。
【００３１】
図５に示すように、帽体用垂れカバー１０は、垂れカバー本体１１が帽体１の下部内側面側に着脱可能に取り付けられ、図２に示すように、帽体１に取り付けられる上部に、弾性素材で形成された芯材２０が設けられている。前記芯材２０は、帽体１の下部内側面に沿って変形するように構成されている。帽体用垂れカバー１０は、帽体１の内側面形状に沿って上部が変形するので、帽体１の内側面に沿ってほとんど隙間なく取り付けることができ、外気の侵入を極力抑えることができる。
【００３２】
図４に示すように、帽体用垂れカバー１０は、垂れカバー本体１１の下部に補助カバー５１が着脱可能に取り付けられるので、帽体装着者の体型に合わせたり、使用状況に合わせて長さを調節することができる。
【００３３】
さらに、帽体用垂れカバーについて詳細に説明する。まず帽体用垂れカバーを装着する帽体、即ち、ヘルメットについて説明する。図１に示すように、ヘルメット１は、ヘルメット本体２と、ヘルメット本体２内に設けられたハンモック３とからなる。ハンモック３は、放射状に伸びるバンド５を有する。ハンモック３は、バンド５の先端がヘルメット本体２の内面下部に設けられた各突起部６に取り付けられて、ヘルメット１内に固定される（図６参照）。なお、突起部６は、リベット等の接続具であっても構わない。
【００３４】
図２に示すように、帽体用垂れカバー１０は、布、軟質合成樹脂等の縫製素材によって横長帯状に形成された垂れカバー本体１１を有する。垂れカバー本体１１の裏面は、メッシュシートであることが望ましいが、特に限定されるものではない。垂れカバー本体１１は、上部が内側に折り返されて縫製され、当該折返し部１２に合成樹脂、薄い金属等の弾性復元力を備えた素材によって形成された細長帯状の芯材２０が設けられている。垂れカバー本体１１は、上端縁１３が略直線状となっており、下端縁１４の両側が下方に突出するようにして凸湾曲部１５，１６を形成し、下端縁１４の中央が上方に大きく凹むようにして凹湾曲部１７を形成している。
【００３５】
垂れカバー本体１１は、帽体装着者の後頭部をカバーする後カバー２１と、右側頭部をカバーする右側面カバー２２と、左側頭部をカバーする左側面カバー２３とからなる。後カバー２１は、前記上端縁１３と凹湾曲部１７によって形成されている。右側面カバー２２は、上端縁１３と右凸湾曲部１５によって形成されている。左側面カバー２３は、上端縁１３と左凸湾曲部１６によって形成されている。垂れカバー本体１１は、上部に紐部材１８が縫製されて取り付けられている。なお、紐部材１８は、伸縮性・弾力性のあるゴム部材であっても構わない。当該紐部材１８は、図６に示すように、ヘルメット１のバンド５又は突起部６に結び付けて、ヘルメット１に帽体用垂れカバー１０を取り付けるものである。帽体用垂れカバー１０は、図１６に示すように、前記紐部材１８を環状ゴム部材１８ａとし、当該環状ゴム部材１８ａにクリップ、フック等の係止具１９を取り付け、係止具１９をヘルメット１のバンド５又は突起部６に係止させて、ヘルメット１に装着できるようにしても構わないのは勿論である。
【００３６】
後カバー２１の内側面には、首部に相当する位置に首側取付部として首部ポケット２５が形成されている。首部ポケット２５は、矩形状の布片２５ａの上部以外の周縁を垂れカバー本体１１に縫着して形成される。右側面カバー２２の内側面には、右耳部に相当する位置に右耳側取付部として右耳部ポケット２７が形成されている。右耳部ポケット２７は、矩形状の布片２７ａの上部以外の周縁を垂れカバー本体１１に縫着して形成される。左側面カバー２３の内側面には、左耳部に相当する位置に左耳側取付部として左耳部ポケット２８が形成されている。左耳部ポケット２８は、矩形状の布片２８ａの上部以外の周縁を垂れカバー本体１１に縫着して形成される。図３に示すように、右、左耳部ポケット２７，２８が位置する垂れカバー本体１１には、音孔２７ｂ，２８ｂが形成され、音の通りを良くするようにしている。
【００３７】
図２に示すように、前記右側面カバー２２及び左側面カバー２３には、口及び鼻を覆う前カバー３１が設けられている。即ち、前カバー３１は、一方３２が右側面カバー２２（又は左側面カバー２３）の一方端に縫製されて固定され、他方３３に面ファスナー３５が取り付けられている。又、左側面カバー２３（又は右側面カバー２２）の他方端に面ファスナー３６が取り付けられている。前カバー３１は、他方３３の面ファスナー３５を左側面カバー２３（又は右側面カバー２２）の面ファスナー３６に係着して取り付け、面ファスナー３５を面ファスナー３６から離脱させて外すことができる。前カバー３１を左側面カバー２３（又は右側面カバー２２）に係止させる係止手段として面ファスナーを採用しているが、特に面ファスナーに限定するものではなく、ホック、ドットボタン等の係止具に変更可能である。なお、前カバー３１は、一方３２を右側面カバー２２（又は左側面カバー２３）の一方端に縫製して固定し、他方３３に面ファスナー３５を取り付けたが、一方３２にも面ファスナーを取り付け、一方３２に取り付けた面ファスナーを右側面カバー２２（又は左側面カバー２３）の一方端に取り付けた面ファスナーに着脱可能にして、垂れカバー本体１１から取り付け、取り外しが可能となるようにしても良い。
【００３８】
前カバー３１の内側面には、口部に相当する位置に前側取付部として前部ポケット４１が形成されている。前部ポケット４１は、矩形状の布片４１ａの上部以外の周縁を前カバー３１に縫着して形成される。図３に示すように、前部ポケット４１が位置する前カバー３１には、透孔４１ｂが形成され、空気の流れを良くするようにしている。前記右，左耳部ポケット２７，２８には、耳を保護する耳保護部材として、防寒部材、防音部材又は緩衝部材が着脱可能に挿入されて取り付けられる。防寒部材は、耳を冷気から保護する素材、例えば、スポンジ等の弾性素材、フリース素材、吸湿発熱素材、酸化発熱カイロ等の種々の素材が採用され、適宜変更することができる。防音部材は、耳を騒音から保護する素材、例えば、発泡ウレタン、ゴム等の種々の素材が採用され、適宜変更することができる。緩衝部材は、耳を衝撃から保護する素材、例えば、ゴム部材、発泡ウレタン等の種々の弾性素材が採用され、適宜変更することできる。なお、耳保護部材にイヤホンを埋設し、無線、有線等による音声通信を可能にしておいても良い。
【００３９】
首部ポケット２５には、首を保護する首保護部材として、防寒部材、防暑部材又は緩衝部材が着脱可能に取り付けられる。防寒部材は、首を冷気から保護する素材、例えば、スポンジ等の弾性素材、フリース素材、吸湿発熱素材、酸化発熱カイロ等の種々の素材が採用され、適宜変更することができる。防暑部材は、首を熱気から保護する素材、例えば、発散素材、保冷剤等の種々の素材が採用され、適宜選択することができる。緩衝部材は、首を衝撃から保護する素材、例えば、ゴム部材、発泡ウレタン等の種々の弾性素材が採用され、適宜変更することできる。前部ポケット４１には、口及び鼻を保護する口鼻保護部材として、防寒部材又は防塵部材が着脱可能に取り付けられる。防寒部材は、口及び鼻を冷気から保護する素材、例えば、スポンジ等の弾性素材、フリース素材、吸湿発熱素材、酸化発熱カイロ等の種々の素材が採用され、適宜変更することができる。防塵部材は、口及び鼻を粉塵から保護する素材、例えば、ガーゼ、不織布等の素材が採用され、適宜選択することができる。このように、右，左耳部ポケット２７，２８、首部ポケット２５及び前部ポケット４１には、作業内容、作業環境に合わせて、適宜素材を選択して装着することができる。
【００４０】
垂れカバー本体１１は、下部に補助カバー５１が着脱可能に取り付けられる。補助カバー５１は、垂れカバー本体１１と同様に、布、軟質合成樹脂等の縫製素材によって横長帯状に形成されている。補助カバー５１は、下端縁５２が略直線状となっており、上端縁５３の中央が上方に大きく凸出するようにして凸湾曲部５５を形成し、上端縁５３の両側が下方に凹むようにして凹湾曲部５６，５７を形成している。
【００４１】
補助カバー５１は、上部を垂れカバー本体１１の下部に重ね合わせ、面ファスナー、ホック、ドットボタン等の取付手段により、垂れカバー本体１１に着脱可能に取り付けられる。即ち、補助カバー５１は、上部に面ファスナー５８が設けられ、両側にドットボタンの雄金具５９，６０が取り付けられている。垂れカバー本体１１は、下部に面ファスナー４５が設けられ、両側にドットボタンの雌金具４６，４７が取り付けられている。図４に示すように、補助カバー５１は、面ファスナー５８を垂れカバー本体１１の面ファスナー４５に着脱可能に係着し、雄金具５９，６０を垂れカバー本体１１の雌金具４６，４７に着脱可能に係止することにより、垂れカバー本体１１の下部に取り付けられる。なお、補助カバー５１の内側面に、後側取付部として、後部ポケット６１を形成しても良いのは勿論である。
【００４２】
後部ポケット６１には、首又は肩を保護する首肩保護部材として、防寒部材、防暑部材又は緩衝部材が着脱可能に取り付けられる。防寒部材は、首又は肩を冷気から保護する素材、例えば、スポンジ等の弾性素材、フリース素材、吸湿発熱素材、酸化発熱カイロ等の種々の素材が採用され、適宜変更することができる。防暑部材は、首又は肩を熱気から保護する素材、例えば、発散素材、保冷剤等の種々の素材が採用され、適宜選択することができる。緩衝部材は、首又は肩を衝撃から保護する素材、例えば、ゴム部材、発泡ウレタン等の種々の弾性素材が採用され、適宜変更することできる。
【００４３】
帽体用垂れカバー１０の使用方法について説明する。垂れカバー本体１１の上部を芯材２０の弾性に抗してヘルメット１の下部内側面に沿って湾曲させ、図６に示すように、紐部材１８をヘルメット１のバンド５又は突起部６に連結することにより、ヘルメット１に帽体用垂れカバー１０を取り付けることができる。帽体用垂れカバー１０は、紐部材１８をヘルメット１のバンド５又は突起部６から解くことにより、ヘルメット１から簡単に外すことができる。帽体用垂れカバー１０は、ヘルメット１の内側面形状に沿って上部が変形するので、ヘルメット１の内側面に沿ってほとんど隙間なく取り付けることができ、外気の侵入を極力抑えることができる。
【００４４】
ヘルメット１を装着すると、図５に示すように、垂れカバー本体１１の後カバー２１が帽体装着者の後頭部をカバーし、右側面カバー２２が右側頭部をカバーし、左側面カバー２３が左側頭部をカバーする。装着者の右耳部に右耳部ポケット２７が当接し、装着者の左耳部に左耳部ポケット２８が当接し、装着者の首部に首部ポケット２５が当接する。前カバー３１の他方に設けられた面ファスナー３５を左側面カバー２３の面ファスナー３６に係着すると、前カバー３１が鼻口をカバーする。装着者の鼻口部に前部ポケット４１が当接する。
【００４５】
真冬時にあっては、頭部の耳部、首部、口部を冷気から保護するため、右，左耳部ポケット２７，２８及び首部ポケット２５に、防寒部材、例えば、スポンジ等の弾性素材、フリース素材、吸湿発熱素材、酸化発熱カイロ等の保温性、発熱性のある素材を装着し、前部ポケット４１に通気性・保温性のある不織布等の素材を装着しておくことができ、装着者の局部を冷気から保護することができる。真夏時にあっては、首部ポケット２５に、防暑部材、例えば、発散素材、保冷剤、濡れたタオル等の冷却性のある素材を装着し、熱中症から保護することができる。
【００４６】
工事現場等で使用する場合には、右，左耳部ポケット２７，２８に、防音部材又は緩衝部材、例えば、発泡ウレタン、ゴム等の防音効果及び衝撃吸収効果の高い素材を装着すれば、耳を騒音又は衝撃から保護することができる。また、首部ポケット２５に緩衝部材、例えば、発泡ウレタン、ゴム等の衝撃吸収効果の高い素材を装着すれば、首を衝撃から保護することができる。さらに、前部ポケット４１に、防塵部材、例えば、ガーゼ、不織布等の防塵効果の高い素材を装着すれば、喉を粉塵から保護することができる。
【００４７】
図４に示すように、補助カバー５１の面ファスナー５８を垂れカバー本体１１の面ファスナー４５に着脱可能に係着し、雄金具５９，６０を垂れカバー本体１１の雌金具４６，４７に着脱可能に係止することにより、垂れカバー本体１１の下部に補助カバー５１を取り付けることができる。この補助カバー５１を着脱可能に取り付けることにより、ヘルメット装着者の体型又は状況に応じて、帽体用垂れカバー１０の長さを調節することができる。補助カバー５１の内側面に、後部ポケット６１が形成されているので、当該後部ポケット６１に前述したように防寒部材、防暑部材又は緩衝部材を着脱可能に装着することができる。
【００４８】
上記実施の形態では、右，左耳部ポケット２７，２８内に防寒部材、防音部材又は緩衝部材を挿入して装着し、首部ポケット２５内に防寒部材、防暑部材又は緩衝部材を挿入して装着し、前部ポケット４１内に防寒部材又は防塵部材を挿入して装着したが、図７乃至図１１に示すように、左耳及び右耳に直接接触して耳を保護する耳カバー（耳保護部材）７１を右，左耳部ポケット２７，２８に装着し、首に直接接触して首を保護する首カバー（首保護部材）７３を首部ポケット２５に装着し、口鼻に直接接触して口鼻を保護するマスク（口鼻保護部材）７５を前部ポケット４１に装着するようにしても良い。
【００４９】
耳カバー７１は、図７に示すように、保温性の高いボア生地等の素材又は防音性の高い素材によって形成され、背面に逆Ｕ字状の係止具７２が設けられている。図９に示すように、係止具７２を右，左耳部ポケット２７，２８に挿入すると、図１１に示すように、耳カバー７１，７１が右、左耳部ポケット２７，２８の位置に配置される。帽体装着者は、ヘルメット１を頭部に装着すると、耳カバー７１，７１が左右の耳に直接当接し、左右の耳を冷気又は騒音から保護することができる。耳カバー７１は、着脱式であるので、状況に応じて交換・取り外しをすることができるのは勿論である。
【００５０】
マスク７５は、図８に示すように、通気性・保温性・防塵性のあるガーゼ、不織布等の素材によって形成され、背面に逆Ｕ字状の係止具７６が設けられている。なお、係止具７６は、マスク７５と同様の素材又は紙等の軟質で焼却可能な素材であることが望ましい。図１０に示すように、係止具７６を前部ポケット４１に挿入すると、図１１に示すように、マスク７５が前部ポケット４１の位置に配置される。首カバー７３は、図示しないが、耳カバー７１及びマスク７５と同様に背面に逆Ｕ字状の係止具が設けられ、係止具を首部ポケット２５に装着すると、図１１に示すように、首部ポケット２５の位置に配置される。帽体装着者は、ヘルメット１を頭部に装着すると、マスク７５が口鼻に直接当接し、首カバー７３が首に直接接触し、マスク７５が口鼻を冷気又は粉塵から保護し、首カバー７３が首を冷気、熱気又は衝撃から保護することができる。マスク７５及び首カバー７３は、着脱式であるので、汚れた場合には直ちに新しいものと交換することができる。
【００５１】
首側取付部２５、耳側取付部２７，２８、前側取付部４１及び後側取付部６１は、頭部の各部分を保護する保護部材を取り付けるように構成しており、布片２５ａ，２７ａ，２８ａ，４１ａ，６１ａの上部以外の周縁を縫製してポケット状に形成しているが、図１２に示すように、上部及び下部を縫製しないようにして、左部及び右部を縫製し、帯片状に形成しても構わない。また、図１３に示すように、首側取付部２５ｃ、耳側取付部２７ｃ，２８ｃ、前側取付部４１ｃ及び後側取付部６１ｃを面ファスナーで構成しても構わない。同様に各保護部材の背面にも面ファスナーを取り付け、例えば、図１４に示すように耳保護部材７１の背面に面ファスナー７１ｃを取り付け、図１５に示すように、口鼻保護部材７５に面ファスナー７５ｃを取り付け、当該各保護部材の面ファスナーを帽体用垂れカバー１０の所定位置に取り付けられた面ファスナー２５ｃ，２７ｃ，２８ｃ，４１ｃ，６１ｃに着脱可能に係着させて、各保護部材を取り付けるようにしても構わない。
【００５２】
帽体用垂れカバー１０は、ヘルメット１に取り付ける取付部材がゴム部材１８ａであると、作業中に何らかの障害物に接触して引っ張られても、ゴム部材１８ａ自体が伸びるので、頭部に衝撃的な力が作用せず、頭部を保護することができる。また、図１７に示すように、帽体用垂れカバー１０は、不要の場合、上方に捲り上げてから、前カバー３１の他方に設けられた面ファスナー３５を左側面カバー２３の面ファスナー３６に係着させると、ヘルメット１の表面に密着し、何等作業の妨げにならないようにすることができる。
【産業上の利用可能性】
【００５３】
本願発明は、ヘルメット等の帽体に装着でき、帽体装着者の頭部を保護する帽体用垂れカバーとして広く利用可能である。
【符号の説明】
【００５４】
１  ヘルメット（帽体）
２  ヘルメット本体
３  ハンモック
５  バンド
６  突起部
１０  帽体用垂れカバー
１１  垂れカバー本体
１２  折返し部
１３  上端縁
１４  下端縁
１５  右凸湾曲部
１６  左凸湾曲部
１７  凹湾曲部
１８  紐部材
１８ａ  ゴム部材
１９  係止具
２０  芯材
２１  後カバー
２２  右側面カバー
２３  左側面カバー
２５  首部ポケット（首側取付部）
２５ａ  布片
２７  右耳部ポケット（耳側取付部）
２７ａ  布片
２７ｂ  音孔
２８  左耳部ポケット（耳側取付部）
２８ａ  布片
２８ｂ  音孔
３１  前カバー
３２  一方
３３  他方
３５  面ファスナー
３６  面ファスナー
４１  前部ポケット（前側取付部）
４１ａ  布片
４１ｂ  透孔
４５  面ファスナー
４６  雌金具
４７  雌金具
５１  補助カバー
５２  下端縁
５３  上端縁
５５  凸湾曲部
５６  凹湾曲部
５７  凹湾曲部
５８  面ファスナー
５９  雄金具
６０  雄金具
６１  後部ポケット（後側取付部）
７１  耳カバー（耳保護部材）
７２  係止具
７３  首カバー（首保護部材）
７５  マスク（口鼻保護部材）
７６  係止具
【図１】
2012144828.tif 000003
【図２】
2012144828.tif 000004
【図３】
2012144828.tif 000005
【図４】
2012144828.tif 000006
【図５】
2012144828.tif 000007
【図６】
2012144828.tif 000008
【図７】
2012144828.tif 000009
【図８】
2012144828.tif 000010
【図９】
2012144828.tif 000011
【図１０】
2012144828.tif 000012
【図１１】
2012144828.tif 000013
【図１２】
2012144828.tif 000014
【図１３】
2012144828.tif 000015
【図１４】
2012144828.tif 000016
【図１５】
2012144828.tif 000017
【図１６】
2012144828.tif 000018
【図１７】
2012144828.tif 000019